(57)【要約】【課題】特に自社商品等の広告等に用いられるパネルにおいて、人目を十分に引くことが可能であるとともに、コストも低く抑えることが可能なパネルを提供すること。【解決手段】略四角形状に枠組みされたフレーム（２）と、該フレーム（２）内に支持された、写真、絵画、広告等を挟み込むための透明体（３）および裏板（４）と、前記透明体（３）及び裏板（４）間に挟み込まれた、任意の文字、模様等を発光可能に描いたＥＬフィルムと（５）と、により構成されることを特徴としており、これにより、ＥＬフィルムに電源を供給することでＥＬフィルムに描いた任意の文字、模様等を発光させ、パネル全体をより目立たせることを可能にするとともに、周囲が暗い場合であってもパネルの内周が見えなくなってしまうことを防止することができる。【選択図】　　　　　　　図１
0003098117.tif 000002
【実用新案登録請求の範囲】
【請求項１】
略四角形状に枠組みされたフレーム（２）と、
該フレーム（２）内に支持された、写真、絵画、広告等を挟み込むための透明体（３）および裏板（４）と、
前記透明体（３）及び裏板（４）間に挟み込まれた、任意の文字、模様等を発光可能に描いたカラーフレキシブル有機ＥＬディスプレイ（５）と、により構成されることを特徴とするパネル。
【請求項２】
前記フレーム（２）は、長尺状のフレーム材を略四角形状に枠組みすることにより構成されるとともに、その裏面における内周側全域に形成された、前記透明体（３）及び裏板（４）の周縁部を載置してフレーム（２）内に透明体（３）及び裏板（４）を係止可能な段差状の載置部（２０１）を備えていることを特徴とする請求項１に記載のパネル。
【請求項３】
前記フレーム（２）は、長尺状のフレーム材を略四角形状に枠組みすることにより構成されるとともに、その内周側全域に連続して形成された、絵画等の端部を挿入するための挿入溝（１２０１）と、側壁任意の箇所において、前記挿入溝（１２０１）と連通するように形成した、前記フレーム（２）内周側に絵画等を挿入するための挿入孔（１２０２）と、を備えていることを特徴とする請求項１に記載のパネル。
【考案の詳細な説明】
【０００１】
【考案が属する技術分野】
本考案は写真、絵画等を挟み込んで支持するためのパネルに係り、より詳しくは、その内部に、任意の文字、模様等を発光可能に描いたカラー・フレキシブル有機ＥＬディスプレイを装備したパネルに関する。
【０００２】
【従来の技術】
従来から、商品広告等の手法の一つとして、文字、模様等を描いた広告をパネルに挿装し、この広告を挿装したパネルを展示等することが行なわれている。即ち、パネルは一般的に、多角形状に枠組みされたフレームと、このフレーム内に支持されるとともに、写真、絵画、文字等を挟み込んで支持することが可能な裏板および透明体を備えており、裏板と透明体の間に広告等を挟み込むとともにこの広告等を挟み込んだパネルを、例えば展示会場等の自社ブース内に飾ることにより、自社商品等の広告を行なうことが一般的に行なわれている。
【０００３】
【考案が解決しようとする課題】
ところで、特に出展者が多数になる展示会場では、自社製品を有効にアピールする必要があるが、前述した従来の方法では、単にパネル内に商品広告等を挟み込んでいるのみであるために、文字、模様等に鮮明な色彩を用いた場合であっても、来場者に強力にアピールすることは困難である。
【０００４】
また、店舗等における店頭広告においても、単に自社商品の広告等をパネルに挿装しただけでは、特に繁華街等においては有効な広告とはなり得ない。
【０００５】
更に、単に広告等をパネルに挿装した従来の方法では、周囲が暗い場合には立たないという大きな問題点もある。
【０００６】
この点、展示会場における来場者に自社ブース等を強力にアピールするために、あるいは繁華街等において自社を強力にアピールするために、ネオンサインによる電飾広告等を用いる方法も考えられるが、電飾看板の場合には、装備が大掛かりになるとともにコストも上がってしまい、更に、ネオンサインでは蛍光灯等の寿命の関係で定期的に保守、交換を必要とするために手間や費用等がかかるという問題点がある。
【０００７】
そこで、本考案は、特に自社商品等の広告等のために用いられるパネルにおいて、人目を十分に引くことが可能であるとともに、コストも低く抑えることが可能なパネルを提供することを課題としている。
【０００８】
【課題を解決するための手段】
ところで、従来から、エレクトロルミネッセンスライト（以下「ＥＬライト」という。）という発光源が提供されており、このＥＬライトとは、有機ＥＬディスプレイと呼ばれ、電圧をかけると蛍光色に面発光するという性能を有するものであるが、従来から提供されているこのＥＬライトは厚みが多いとともにフレキシブル性が無いために扱い難いという問題点があった。
【０００９】
しかしながら、最近になり、このＥＬライトを改良した、肉厚が薄くフレキシブル性を備えたカラーフレキシブル有機ＥＬディスプレイ（以下「ＥＬフィルム」という。）が提供されはじめてきている。即ち、このＥＬフィルムは、有機ＥＬにダメージを与える水蒸気や酸素の侵入を遮断する高バリアフィルムで高分子有機ＥＬ層を挟み込んだものであり、肉厚が少ないとともにフレキシブルであるために曲面ディスプレイも可能であるという利点がある。
【００１０】
そこで、本考案者は、この最近になって提供され始めてきたＥＬフィルムの存在に着目し、上記課題を達成可能なパネルを考案した。
【００１１】
即ち、本考案は、略四角形状に枠組みされたフレームと、該フレーム内に支持された、写真、絵画、広告等を挟み込むための透明体および裏板と、前記透明体及び裏板間に挟み込まれた、任意の文字、模様等を発光可能に描いたＥＬフィルムと、により構成されることを特徴としている。
【００１２】
本考案のパネルでは、その内部に、任意の文字、模様等を発光可能に描いたＥＬフィルムを挿装して構成されているため、ＥＬフィルムに自社の広告等を発光可能に描くことにより、単に静的な広告をパネルに挿装した場合と異なり、見る者に強烈な印象を与えて自社商品等を強力にアピールすることが可能である。
【００１３】
また、ＥＬフィルムは前述したように電圧を加えることにより面発光するものであるため、これを挿装した本考案のパネルでは、周囲が暗い場合でも、文字、広告等を鮮明に浮き上がらせることができるという利点がある。
【００１４】
【実施例】
本考案のパネルの実施例について図面を参照して説明すると、図１は、本実施例のパネルを示す斜視図であり、図において１が本実施例のパネルである。
【００１５】
そして、本実施例のパネル１は、図に示すように全体として四角形状としている。即ち、本実施例のパネル１では、４本の長尺状のフレーム材を略四角形状に枠組みすることによりフレーム２を構成しており、このフレーム２内に、透明体３及び裏板４が支持されている。
【００１６】
ここで、図２は、図１におけるＡ−Ａ線断面を示す図であり、本実施例のパネル１では、図に示すように、前記フレーム２には、その裏面側における内周側全域に亘って載置部２０１が形成されており、この載置部２０１上に透明体４および裏板３を重ね合わすようにして載置するとともに、裏板３を、いわゆる「とんぼ」と呼ばれる係止部材６でフレーム２に係止し、これにより、フレーム２内に裏板３および透明体４を支持可能としている。
【００１７】
次に、図２において５はＥＬフィルムであり、即ち、本実施例のパネル１では、前記透明体３と裏板４との間にＥＬフィルム５を挟み込んでおり、このＥＬフィルム５には、任意の文字、模様等８を発光可能に描いており、これにより、このＥＬフィルム５に電圧を加えることで、パネル内において、ＥＬフィルム５に描いた文字、模様等８を発光させてパネル全体を広告媒体等として機能させることを可能としている。
【００１８】
即ち、前述したように、従来から、電圧を加えることにより面状に発光するＥＬライトが提供されているとともに、最近になり、このＥＬライトをフレキシブルにしたＥＬフィルムが開発され、このＥＬフィルムは、高バリアフィルムで高分子有機ＥＬ材料を挟み込んだ構造をしており、この高分子有機ＥＬ材料によって任意の文字、模様等を描くことにより、この部分のみを発光させることを可能にするとともに、フィルムを基材として用いているために全体を超薄型にすることが可能である。
【００１９】
そこで、本実施例のパネル１では、従来は写真、絵画等を挟み込んでいた透明体３と裏板４の間に、この任意の文字、模様等８を高分子有機ＥＬ材料で描いたＥＬフィルム５を挟み込み、これによりパネル１の全体を、より目立つ広告媒体とすることを可能としている。
【００２０】
したがって、本実施例のパネル１では、ＥＬフィルム５に商品宣伝等の文字、模様等８を発光可能に描くことにより、単に商品宣伝等を印刷した紙類等をパネルに挿装した場合と異なり、文字、模様部分の発光により、目立たせることが可能であるとともに、周囲が暗い場合でも十分に機能可能なパネルにすることが可能である。
【００２１】
また、ネオンサイン等の電飾看板を用いた場合と異なり、面倒な作業を必要とすることも無く、更に寿命が長いために長期間の使用にも耐えることができるという利点がある。
【００２２】
次に、本実施例のパネルの使用方法について説明すると、本実施例のパネル１を使用する場合には、まず、商品宣伝や自社の宣伝、あるいは風景、人物等を高分子有機ＥＬ材料で印刷したＥＬフィルム５を、透明体３と裏板４間に挟み込んで、それによりパネル１内に前記ＥＬフィルム５を挿装するとともに、図３に背面図で示すように、裏板４に形成した小孔２０１等を介して、リード線７等によって、前記ＥＬフィルム５に電源を供給する。
【００２３】
そうすると、電源の供給により、前記ＥＬフィルム５に描いた文字、模様等の部分８が面状に発光し、これにより見る者により強くアピールすることが可能となる。
【００２４】
このように、本実施例のパネルでは、任意の文字、模様等を発光可能に描いたＥＬフィルムを挿装しているために、より効果的な広告媒体にすることが可能であるとともに、周囲が暗い場合でも広告媒体としての機能を損なうことが無いパネルを提供することが可能である。
【００２５】
なお、前述の実施例では、フレーム２に載置部２０１を形成し、この載置部２０１上に透明体３及び裏板４を載置するとともに、裏板４を係止部材６でフレームに係止する構造を説明したが、必ずしもこのような構造を採用する必要は無く、フレーム内に透明体及び裏板を支持可能な構造であればいずれの構造を採用してもよい。
【００２６】
例えば、図４は、他の形態のフレーム１１を示す斜視図であり、図４に示すフレーム１１では、長尺状のフレーム材を略四角形状に枠組みすることにより構成されたフレーム本体１２を備えており、このフレーム本体１２の内周側全域に、絵画、カタログ等の端部を挿入して係止可能な挿入溝１２０１が形成され、更に、前記フレーム本体１２の側面任意の箇所には、前記挿入溝１２０１と連通するようにして挿入孔１２０２が形成されている。そして、このように構成されるフレーム１１内において、挿入孔１２０２からフレーム１１内に挿入された透明体及び裏板が、その周縁部が前記挿入溝２１０１に係止される形態でフレーム１１内に係止されており、本考案のパネルにおいては、このように構成されるフレームを用いて、このフレーム内に、ＥＬフィルムを挟み込んだ透明体及び裏板を支持してもよい。
【００２７】
また、図５は、特公平７−８７８１３号公報に示される、いわゆるフロントオープン式のパネルに用いられるフレーム２１の一部を示す図であり、このフレーム２１では、長尺状のフレーム材２２を、交差する側面２３０１、２３０２を有する隅連結部材２３により略四角形状に枠組みするとともに、その枠組みに際しては、前記フレーム材２２の長手方向に沿って形成した挿入空間２２０２内に前記隅連結部材２３の側面２２０１を挿入し、これによってフレーム材２２を回動自在にしている。そして、この構成において、フレーム材２２をの外側に回動させた後に、フレーム材２２に形成した係止空間２２０１内に透明体及び裏板の周縁部を係止しつつフレーム材２２を内側に回動することによってフレーム２１内に透明体及び裏板を係止可能としており、本考案のパネルにおいては、このように構成されるフレームを用いて、このフレーム内に、ＥＬフィルムを挟み込んだ透明体及び裏板を支持してもよい。
【００２８】
【考案の効果】
本考案のパネルは以上説明した形態で実施され、以下に記載するような効果を奏する。
【００２９】
本考案のパネルは、略四角形状に枠組みされたフレームと、該フレーム内に支持された、写真、絵画、広告等を挟み込むための透明体および裏板と、前記透明体及び裏板間に挟み込まれた、任意の文字、模様等を発光可能に描いたＥＬフィルムと、により構成されることを特徴としている。
【００３０】
このように、本考案のパネルでは、その内部に、任意の文字、模様等を発光可能に描いたＥＬフィルムを挿装して構成されているために、ＥＬフィルムに自社の広告等を発光可能に描くことにより、単に静的な広告をパネルに挿装した場合と異なり、見る者に強烈な印象を与えて自社商品等を強力にアピールすることが可能である。
【００３１】
また、ＥＬフィルムは前述したように電圧を加えることにより面発光するものであるために、これを挿装した本考案のパネルでは、周囲が暗い場合でも、文字、広告等を鮮明に浮き上がらせることができるという利点がある。
【図面の簡単な説明】
【図１】本考案のパネルの実施例を示す斜視図である。
【図２】図１におけるＡ−Ａ線断面を示す図である。
【図３】本考案のパネルの実施例の背面図である。
【図４】本考案のパネルに用いるフレームの他の形態を説明するための図である。
【図５】本考案のパネルに用いるフレームの他の形態を説明するための図である。
【符号の説明】
１　　パネル
２、１１、２１　　フレーム
２２　　フレーム材
２２０１　　係止空間
２２０２　　挿入空間
２３　　隅連結部材
２３０１、２３０２　　隅連結部材の側面
２０１　　載置部
３　　裏板
３０１　　小穴
４　　透明体
５　　ＥＬフィルム
６　　係止手段
７　　リード線
８　　発光可能に描いた文字等
【図１】
0003098117.tif 000003
【図２】
0003098117.tif 000004
【図３】
0003098117.tif 000005
【図４】
0003098117.tif 000006
【図５】
0003098117.tif 000007